(57)【要約】      （修正有）【課題】起立中空扉体による排水音の発生と、同排水音の当該中空扉体回りへの拡散を抑制すると共に、起立中空扉体の転倒により、流水路上流側床面上に確保した所定水位水及び通常流水のスムーズな流下を実現する。【解決手段】流水路５下流側床面８の基台９に設けた中空扉体１２の起立により、流水路５上流側床面７上に確保した所定水位水Ｈ＋ΔＨ１を、起立中空扉体１２内にフロントパネル１３の入水口１７から流入、落水させ、リアパネル１４下部の排水口１８から、当該排出口１８周りのリアパネル１４外側にヒンジ２８付けした排水音抑制カバー２７による落水音抑制室３３内に閉じ込めるように排水して、排水音の発生を抑制し、起立中空扉体１２の流水路下流側床面８上への転倒により、流水路５上流側床面７上に確保した所定水位水及び通常流水をス厶ーズに流下させる。【選択図】図３
2005188266.tif 000002
【特許請求の範囲】
【請求項１】
適宜間隔を存して略平行に配したフロントパネル（１３、４３）とリアパネル（１４、４４）の周縁部を閉塞した中空扉体（１２、１２Ａ、４２、４２Ａ、７２、８２、９２）の基部を、適宜駆動手段（１６）で駆動される取付軸（１５）を介して流水路（５）下流側（８）適所の基台（９）に起伏可能に設け、起立する該中空扉体のフロントパネル（１３、４３）前側と流水路５上流側床面（７）を水密ゴム（１９）で連結し、該中空扉体の左右両側部を流水路（５）側壁（６）に水密ゴム（１９１）を介して摺動可能に密接させると共に、前記フロントパネル（１３、４３）に入水口（１７、４７）を、リアパネル（１４、４４）下部に排水口（１８、４８）を夫々設け、かつ、該排水口（１８、４８）を、前記流水路（５）下流側床面（８）上に位置し、頂部を前記起立中空扉体のリアパネル（１３、４３）外側にヒンジ（２８）付けした排水音抑制カバー（２７）により囲まれる排水音抑制室３３内、又は同下流側床面（８）の凹部（８Ｂ）内に配設したことを特徴とする落水音抑制転倒ゲート。
【請求項２】
前記中空扉体（１２、１２Ａ、４２、４２Ａ、７２、８２、９２）を、所定幅の互いに略平行するフロントパネル（１３、４３）とリアパネル（１４、４４）の端面を、当該フロントパネル（１３、４３）とリアパネル（１４、４４）に略直交する仕切壁（３１、６０）を介して、複数個の単位中空扉体を連結、構成したことを特徴とする請求項１記載の落水音抑制転倒ゲート。
【請求項３】
起立する前記中空扉体（１２、１２Ａ）の頂部開口（２０）を、前記フロントパネル（１３）の頂部に、基部をヒンジ（２２）付けした頂部開口カバー（２１）の自重により閉塞させる一方、該頂部開口カバー（２１）を倒伏する当該中空扉体（１２、１２Ａ）内の流水により自動的に開放可能にしたことを特徴とする請求項１又は２の何れかに記載の落水音抑制転倒ゲート。
【請求項４】
起立する中空扉体（１２、１２Ａ）の中空部を、その上下方向の隔壁（２３）により前側室と後側室に分割し、該前側室と後側室を前記隔壁頂部の欠落部（２４）により連通させ、前記フロントパネル（１３）の入水口（１７）下部と前記隔壁（２３）の下部前側を、傾斜状又は凹弧状導入壁２５により連結したことを特徴とする請求項１〜３の何れかに記載の落水音抑制転倒ゲート。
【請求項５】
起立する前記中空扉体（１２、４２、７２、８２、９２）のリアパネル（１４、４４）下部排水口（１８、４８）外側回りの前記排水音抑制室３３を、当該リアパネル（１４、４４）外側と、該リアパネルに上部をヒンジ（２８）付けした排水音抑制カバー（２７）と、当該排水音抑制カバーの左右両側部の当接する流水路（５）側壁（６）と、該流水路（５）下流側床面（８）とにより略三角筒状に構成すると共に、前記排水音抑制カバー（２７）を、当該流水路（５）の下流側床面と倒伏する中空扉体下側との間に折畳み可能にしたことを特徴とする請求項１〜４の何れかに記載の落水音抑制転倒ゲート。
【請求項６】
前記中空扉体（１２Ａ、４２Ａ）の基部を、当該中空扉体のリアパネル（１４、４８）下部の排水口（１８、４８）が、前記流水路（５）下流側床面（８）の凹部（８Ｂ）内に位置するように、該凹部（８Ｂ）内の基台（９）に起伏可能に設けると共に、起立中空扉体（４２、４２Ａ）のリアパネル（４４）下部の排水口（４８）下縁と、フロントパネル（４３）内側下部を先下がり排水板（６４）により連結し、該リアパネル（４４）下部の排水口（４８）より上位の内側から、フロントパネル（４３）の下部に向って先下がり状に降下し、その欠落する端部（６３）が前記先下がり排水板（６４）の上面及びフロントパネル（４３）の下部内側面から適度に離間する反転板（６２）を設けたことを特徴とする請求項１〜４の何れかに記載の落水音抑制転倒ゲート。
【請求項７】
起立する前記中空扉体（７２、８２、９２）のフロントパネル（４３）上部の入水口（４７）下位と、リアパネル（４４）下部の排水口（４８）の下部を、歪Ｓ状誘導板（７３）、Ｓ状誘導板（８３）又は頂部及び底部が略平行する先下り誘導面（９３１、９３２）を備えるジグザグ状誘導板（９３）の何れかにより連結し、若しくは、前記Ｓ状誘導板（８３）又はジグザグ状誘導板（９３）の中央部と略平行する頂面（８５１、９５１）を備える三角柱状反転体（８５、９５）を、その頂面（８５１、９５１）と前記歪Ｓ状又はＳ状誘導板（７３、８３）若しくはジグザグ状誘導板（９３）の中央部との間に、適宜間隔の落水路（７４、８４、９４）を確保するように、前記リアパネル（４４）の内側で、前記排水口（４８）の上位に設けたことを特徴とする請求項１〜４、６の何れかに記載の落水音抑制転倒ゲート。
【請求項８】
起立する前記中空扉体（４２、４２Ａ）の頂部中空室（５０Ｄ）内に位置し、前記フロントパネル（４３）上部の入水口（４７）の下位から斜め上後方へ延びるフォーク状、ネット状等の適宜形状のスクリーン（６１）を設けたことを特徴とする請求項１〜４、６、７の何れかに記載の落水音抑制転倒ゲート。
【発明の詳細な説明】
【技術分野】
【０００１】  この発明は落水音抑制転倒ゲート、殊に、河川や水路の適所に設けた起伏可能な転倒ゲートの起立により確保した所定水位水を、当該起立中空扉体を介して取水する際に発生する落水音、排水音等の、当該落水音抑制転倒ゲート回りへの拡散を抑制する一方、起立中空扉体により確保した所定水位水を、起立中空扉体の転倒により放流する際、転倒した中空扉体が放流水や、当該流水路の通常流水の流動を妨げない落水音抑制転倒ゲートに関する。
【背景技術】
【０００２】  起伏可能な扉体の起立により確保した所定水位水を、起立扉体回りのサイフォン入口から吸込み、その排出口から排出させて取水する一方、必要に応じて起立扉体の倒伏（転倒）により、確保した所定水位水を放流可能にしたサイホン付起伏ゲートは、例えば、特開２００１−２６２５５１号公報、特開２００１−２６２５５２号公報に記載される。【０００３】
【特許文献１】  特開２０００−２６２５５１号公報には、起立扉体により確保した所定水位水からサイフォンを利用して、扉体の頂部を越流、落下させて所定水位水を取水する際に発生する落水音を減少させる、従来のサイフォン付ゲート、例えば、特開昭５８−１３５６１７号公報記載のものにおける、サイフォン入口回りに発生する吸込音を抑制するため、起立扉体内のサイフォン管入口の上流側呑口から下流側吐口に至るサイフォン管入口を当該扉体内に開口させる一方、倒伏する扉体内のサイフォン流路の詰まり発生を防止のため、当該扉体の呑口上側に、上端のヒンジ廻りに揺動する外開揺動板を設け、当該呑口を閉塞すると共に、開いた揺動板と起立する扉体との間をシールして、閉塞空間に配設されたサイフォン管入口から水を吸込ませ、また、倒伏する扉体内のサイフォン管流路の詰まりを防止するため、当該扉体の呑口上側に、上端を支点として揺動する外開き回動板を設け、扉体が倒伏する際、同回動板により呑口を閉塞して、扉体内のサイフォン管路への土砂や石の流入を阻止するものが記載される。
【０００４】
【特許文献２】  特開２００１−２６２５５２号公報には、サイフォン付起伏ゲートにおける空気吸込み騒音の発生を抑制すると共に、サイフォン管詰まりを防止するため、起伏する扉体内に入口の開口するサイフォン管の、上流側呑口を、当該呑口の下縁に基部をヒンジ付けした蓋で開閉可能にし、起立する扉体の密閉空間内で、サイフォン管入口から水流を吸込ませると共に、呑口と入口間に所要の間隔を確保して、当該水流が安定する水平状をなすように、サイフォン管の入口にかぶせ、扉体が倒伏する際、前記蓋により呑口を閉塞し、当該サイフォン管への土砂や石の流入を阻止するものが記載される。
【０００５】  しかし、特開２０００−２６２５５１号公報記載の起立扉体により確保した所定水位水を、扉体内のサイフォン管により取水する一方、扉体の倒伏により、起立扉体により確保した所定水位水を放流する従来の起伏ゲートにあっては、確保した所定水位水から当該起立扉体内のサイフォン管により取水する際、当該所定水位水の水位を実質的に低下させてその落水音を減少させるようにした従来のサイフォン付ゲート、例えば、特開昭５８−１３５６１７号公報記載のものに、なお残るサイフォン管の入口回りに発生する吸込音を抑制するため、サイフォン管入口を当該扉体内に開口させ、その上流側呑口に、上端を支点とする外開き回動板を設け、該回動板の開放状態でのサイフォン管による放流の際に生ずる、回動板前後の水位差を解消して、空気の吸込みをなくし、気泡吸込みによる振動音の発生を減少させる。また、上流側水位が、サイフォン管の入口付近を上下（昇降）する状態において、サイフォン管の入口を常時閉塞させることにより、当該サイフォン付起伏ゲート回りへの吸込音（騒音）拡散を減少させる。また、扉体倒伏の際、回動板を閉じて呑口を覆うと、扉体内への土砂や石の流入が阻止され、サイフォン管の流路を詰まらせない。しかし、これらの何れにも、サイフォン管吐口からの排水の発生する、落水音の抑制ないし減少対策は講じられていない。また、前記特開２００１−２６２５５２号公報記載のサイフォン付起伏ゲートにも、略同様な問題があった。【０００６】  さらに、起立扉体により確保した所定水位水を、当該起立扉体の頂部を越流、落下させて取水する一方、起立扉体の倒伏により前記所定水位水を放流可能にした従来の起伏（転倒）ゲートにあっては、起立する扉体の頂部を越流、落下する所定水位水の全水位に基づく大きな落水音が発生するにも係わらず、当該起伏（転倒）ゲート回りへの当該落水音の拡散防止ないし抑制対策は、殆ど講じられていないという問題があった。
【発明の開示】
【従来技術における解決すべき課題】
【０００７】  この発明は、前記のような従来の起伏可能な扉体を備えるサイフォン付又はサイフォンなし転倒ゲートにおける、所定水位水の取水時に発生する落水音の、当該起伏（転倒）ゲート回りへの拡散を抑制するという問題点に着目してなされたもので、起立中空扉体により確保した所定水位水から、当該起立中空扉体を介して取水する際に発生する落水音の、当該落水音抑制転倒ゲート回りへの拡散を抑制するために、起立する中空扉体により確保した所定水位水を入水口から吸込み、排水口から排水するに当り、その排水口回りを折畳み可能な落水音抑制カバーにより被覆し、又は、起立中空扉体の排水口を、流水路下流側床面の凹部内の滞留水により閉塞することにより、起立扉体の落水音、及びその排水口から排出される排水の発生する排水音の、当該落水音抑制転倒ゲート回りへの拡散を抑制し、しかも、当該中空扉体を前記流水路下流側床面又はその凹部部内へスムーズに倒伏させて、前記流水路５上流側床面上の所定水位水の放流、又は流水路上流側床面上の通常流水を放流する際、前記落水音抑制カバーを倒伏する中空扉体下側へ折畳み、それらの放流を妨げない落水音抑制転倒ゲートを提供する。
【課題の解決手段】
【０００８】  この発明は、前記のような従来例の課題を解決するため、適宜間隔を存して略平行に配したフロントパネル１３、４３とリアパネル１４、４４の周縁部を閉塞した中空扉体１２、１２Ａ、４２、４２Ａ、７２、８２、９２の基部を、適宜駆動手段１６で駆動される取付軸１５を介して流水路５下流側８適所の基台９に起伏可能に設け、起立する該中空扉体のフロントパネル１３、４３前側と流水路５上流側床面７を水密ゴム１９で連結し、該中空扉体の左右両側部を流水路５側壁６に水密ゴム１９１を介して摺動可能に密接させると共に、前記フロントパネル１３、４３に入水口１７、４７を、リアパネル１４、４４下部に排水口１８、４８を夫々設け、かつ、該排水口１８、４８を、前記流水路５下流側床面８上に位置し、頂部を前記起立中空扉体のリアパネル１３、４３外側にヒンジ２８付けした排水音抑制カバー２７により囲まれる排水音抑制室３３内、又は同下流側床面８の凹部８Ｂ内に配設した落水音抑制転倒ゲートである。
【０００９】  また、前記中空扉体１２、１２Ａ、４２、４２Ａ、７２、８２、９２を、所定幅の互いに略平行するフロントパネル１３、４３とリアパネル１４、４４の端面を、当該フロントパネル１３、４３とリアパネル１４、４４に略直交する仕切壁３１、６０を介して、複数個の単位中空扉体を連結、構成したものであり、また、起立する前記中空扉体１２、１２Ａの頂部開口２０を、前記フロントパネル１３の頂部に、基部をヒンジ２２付けした頂部開口カバー２１の自重により閉塞する一方、該頂部開口カバー２１を倒伏する当該中空扉体１２、１２Ａ）内の流水により自動的に開放可能にしたものである。
【００１０】  さらに、起立する中空扉体１２、１２Ａの中空部を、その上下方向の隔壁２３により前側室と後側室に分割し、該前側室と後側室を前記隔壁頂部の欠落部２４により連通させ、前記フロントパネル１３の入水口１７下部と前記隔壁２３下部前側を、傾斜状又は凹弧状導入壁２５により連結したものであり、また、起立する前記中空扉体１２、４２、７２、８２、９２のリアパネル１４、４４下部排水口１８、４８外側回りの前記排水音抑制室３３を、当該リアパネル１４、４４外側と、該リアパネルに上部をヒンジ２８付けした排水音抑制カバー２７と、当該排水音抑制カバーの左右両側部の当接する流水路５側壁６と、該流水路５下流側床面８とにより略三角筒状に構成すると共に、前記排水音抑制カバー２７を、当該流水路５の下流側床面と倒伏する中空扉体下側との間に折畳み可能にしたものである。
【００１１】  また、前記中空扉体１２Ａ、４２Ａの基部を、そのリアパネル１４、４８下部の排水口１８、４８が、前記流水路５下流側床面８の凹部８Ｂ内に位置するように、当該凹部８Ｂ内の基台９に起伏可能に設けると共に、起立する該中空扉体４２、４２Ａのリアパネル４４下部の排水口４８下縁と、フロントパネル４３内側下部を先下がり排水板６４により連結し、該リアパネル４４下部の排水口４８より上位内側から、フロントパネル４３下部に向って先下がり状に降下し、その欠落する端部６３が前記先下がり排水板６４の上面及びフロントパネル４３の下部内側面から適度に離間する反転板６２を設けたものであり、また、起立する前記中空扉体７２、８２、９２のフロントパネル４３上部の入水口４７下位と、リアパネル４４下部の排水口４８の下部を、歪Ｓ状誘導板７３、Ｓ状誘導板８３又は頂部及び底部が略平行する先下り誘導面９３１、９３２を備えるジグザグ状誘導板９３の何れかにより連結し、若しくは、前記Ｓ状誘導板８３又はジグザグ状誘導板９３の中央部と略平行する頂面８５１、９５１を備える三角柱状反転体８５、９５を、その頂面８５１、９５１と前記Ｓ状誘導板８３若しくはジグザグ状誘導板９３の中央部との間に、適宜間隔の落水路７４、８４、９４を確保するように、前記リアパネル４４の内側で、前記排水口４８の上位に設けたものである。
【００１２】  また、起立する前記中空扉体４２、４２Ａの頂部中空室５０Ｄ内に位置し、前記フロントパネル４３上部の入水口４７の下位から斜め上後方へ延びるフォーク状、ネット状等の適宜形状のスクリーン６１を設けたものである。
【発明の作用】
【００１３】  請求項１の発明は、同請求項１記載の構成、殊に、起立する中空扉体のリアパネル１３、４３の下部排水口１８、４８を、前記流水路５下流側床面８上に位置し、頂部を前記起立中空扉体のリアパネル１３、４３外側にヒンジ２８付けした排水音抑制カバー２７により囲まれる排水音抑制室３３内、又は同下流側床面８上の凹部８Ｂ内に配設したことにより、起立中空扉体により流水路５上流側床面７上に確保した所定水位水を、フロントパネル１３、４３の入水口１７、４７から起立中空扉体内に流入、落水させた後、リアパネル１４、４４下部の排水口１８、４８から、当該流水路５下流側床面８上の排水音抑制カバー２７による排水音抑制室３３内に、又は同下流側床面８の凹部８Ｂ内滞留水中に排水して排水音、落水音の発生を抑制し、当該落水音抑制転倒ゲート回りへの排水音、落水音の拡散を抑制し、しかも、起立中空扉体の転倒により、流水路５上流側床面７上に確保した所定水位水の放流、又は同流水路５上流側床面７上の通常流水をスムーズに流下させる。
【００１４】  請求項２の発明によれば、中空扉体１２、１２Ａ、４２、４２Ａ、７２、８２、９２を、所定幅の互いに略平行するフロントパネル１３、４３とリアパネル１４、４４の端面を、当該フロントパネル１３、４３とリアパネル１４、４４に略直交する仕切壁３１、６０を介して、複数の単位中空扉体を連結、構成したから、中空扉体を高強度に構成できる外、幅狭の複数個の単位中空扉体内で発生する落水音が、夫々の端部仕切壁３１、６０により遮断されて隣接する単位中空扉体には殆ど伝達されず、当該中空扉体回りへの落水音の拡散も抑制される。
【００１５】  請求項３の発明によれば、起立中空扉体１２、１２Ａの頂部開口２０が、前記フロントパネル１３の頂部に、基部をヒンジ２２付けした頂部開口カバー２１の自重により閉塞され、中空扉体内に発生するかなりの落水音が当該頂部室内にほぼ閉塞されて、中空扉体回りへの拡散が抑制され、しかも、中空扉体の転倒による前記所定水位水の放流、又は流水路５の通常水流が転倒中空扉体内を流下する際、頂部開口カバー２１が自動的に開放され、スムーズに流下する。
【００１６】  請求項４の発明によれば、起立中空扉体１２、１２Ａの中空部を、その上下方向の隔壁２３により前側室と後側室に分割し、該前側室と後側室を前記隔壁頂部の欠落部２４により連通させ、前記フロントパネル１３の入水口１７下部と前記隔壁２３下部前側を、傾斜状又は凹弧状導入壁２５により連結したことに基づく起立中空扉体の高さより長い流水径路を流下する間に、当該落水の発生する騒音が相応に吸収され、起立中空扉体回りへの拡散が抑制される。
【００１７】  請求項５の発明によれば、起立する前記中空扉体１２、４２、７２、８２、９２のリアパネル１４、４４下部排水口１８、４８外側回りの前記排水音抑制室３３を、当該リアパネル１４、４４外側と、該リアパネルに上部をヒンジ２８付けした排水音抑制カバー２７と、当該排水音抑制カバー２７の左右両側部の当接する流水路５側壁６と、該流水路５下流側床面８とにより略三角筒状に構成すると共に、前記排水音抑制カバー２７を、当該流水路５の下流側床面と倒伏する中空扉体下側との間に折畳み可能にしたことにより、略三角筒状排水音抑制室３３内に排水口から排出される前記落水の生ずる排水音が、当該略三角筒状排水音抑制室３３内閉じ込められ、当該起立扉体回りへの拡散が抑制され、しかも、該排水音抑制カバーを倒伏する中空扉体の下側へ折畳むことにより、所定水位水の放流及び通常流水をスムーズに流下させる。
【００１８】  請求項６の発明によれば、前記中空扉体１２Ａ、４２Ａの基部を、そのリアパネル１４、４８下部の排水口１８、４８が、前記流水路５下流側床面８の凹部８Ｂ内に位置するように、当該凹部８Ｂ内の基台９に起伏可能に設けると共に、起立する中空扉体のリアパネル４４下部の排水口４８下縁と、フロントパネル４３内側下部を先下がり排水板６４により連結し、該リアパネル４４下部の排水口４８より上位内側から、フロントパネル４３下部に向って先下がり状に降下し、その欠落する端部６３が前記先下がり排水板６４の上面及びフロントパネル４３の下部内側面から適度に離間する反転板６２を設けたことにより、当該起立扉体内への流入水がスムーズに落水する外、同落水が排水口４８から凹部８Ｂ内の滞留水中に排水される際に発生する流体摩擦により、その排水音発生が抑制され、しかも、前記中空扉体１２Ａ、４２Ａを流水路下流側床面の凹部８Ｂ内に折畳むことにより、流水路５上流側床面７上に確保した所定水位水の放流、及び通常流水をスムーズに流下させる。
【００１９】  請求項７の発明によれば、起立する前記中空扉体７２、８２、９２のフロントパネル４３上部の入水口４７下位と、リアパネル４４下部の排水口４８の下部を、歪Ｓ状誘導板７３、Ｓ状誘導板８３又は頂部及び底部が略平行する先下り誘導面９３１、９３２を備えるジグザグ状誘導板９３の何れかにより連結し、若しくは、前記Ｓ状誘導板８３又はジグザグ状誘導板９３の中央部と略平行する頂面８５１、９５１を備える三角柱状反転体８５、９５を、その頂面８５１、９５１と前記Ｓ状誘導板８３若しくはジグザグ状誘導板９３の中央部との間に、適宜間隔の落水路７４、８４、９４を確保するように、前記リアパネル４４の内側で、前記排水口４８の上位に設けたことにより、起立中空扉体内への流入水がスムーズに流入、落水し、落水音の発生が抑制される。
【００２０】  請求項８の発明によれば、起立中空扉体４２、４２Ａの頂部中空室５０Ｄ内に位置し、フロントパネル４３上部の入水口４７の下位から斜め上後方へ延びるフォーク状、ネット状等の適宜形状のスクリーン６１を設けたことにより、仮に、流水路５からの流入水中にごみ等が混在しても、フロントパネル４３上部入水口４７部のフォーク状、ネット状等の適宜形状のスクリーン６１により掬い挙げられる外、頂部開口５０からの頂部室５０Ｃ内への異物の不用意な進入が抑制されると共に、起立扉体内に発生する落水音の、当該頂部室５０Ｃの開口からの放出が、当該スクリーン６１により抑制される。
【発明の効果】
【００２１】（１）  請求項１の発明によれば、流水路上流側床面上に起立中空扉体により確保した所定水位水を、フロントパネルの入水口から該起立中空扉体内に流入、流下させ、該起立中空扉体のリアパネル下部の排水口かのら排水を、流水路下流側床面上のリアパネル下部排水口回りの排水音抑制カバーにより囲まれる排水音抑制室内に一旦閉じ込めるように排出し、又は流水路下流側床面凹部の滞留水中に排出することにより、排水音、落水音の発生及び当該中空扉体回りへの拡散を抑制し、しかも、起立中空扉体の転倒により、流水路上流側床面上に確保した所定水位水、又は通常流水をスムーズに流下させる。
【００２２】（２）  請求項２の発明によれば、中空扉体を所定幅の互いに略平行するフロントパネルとリアパネルの端面を、当該フロントパネルとリアパネルと略直交する仕切壁を介して、単位中空扉体を複数個連結して構成したから、起立中空扉体のフロントパネル入水口から流入した所定水位水が、その中空部を介してリアパネル下部の排水口から排水される際に発生するかなりの落水音が、単位中空扉体内に略閉塞されてその拡散が抑制される外、所要の強度、剛性を備える中空扉体の設計自由度が向上する。
【００２３】（３）  請求項３の発明によれば、起立中空扉体の頂部開口が、フロントパネルの頂部に、基部をヒンジ付けした頂部開口カバーの自重により閉塞され、起立中空扉体内に発生する落水音のかなりの部分が、当該頂部室内に略閉塞されて、起立中空扉体回りへの拡散が抑制され、しかも、起立中空扉体の転倒による前記所定水位水の放流、又は流水路の通常水流が転倒中空扉体回りを流下する際、頂部開口カバーがその流水により自動的に開放し、スムーズに流下する。
【００２４】（４）  請求項４の発明によれば、起立中空扉体の中空部の落水経路が、当該中空扉体の高さより長く構成され、しかも、起立中空扉体内で発生する落水音が、当該中空扉体内に略閉塞されて抑制される外、所要の強度、剛性を備える中空扉体の設計自由度が向上する。
【００２５】（５）  請求項５の発明によれば、起立中空扉体内落水の有効落差が相応量減少して落水音の発生が相応量抑制され、また、起立中空扉体の転倒により排水音抑制カバーが、転倒する中空扉体の下側に折畳まれることにより、所定水位水の放流又は通常流水をスムーズに流下させる。
【００２６】（６）  請求項６の発明によれば、起立中空扉体リアパネル下部排水口から排水される排水音の発生が、前記流水路下流側床面の凹部内滞留水内への排水により、当該滞留水との流体摩擦により抑制される外、起立扉体内に発生する落水音の前記排水口を介する排出（拡散）が当該滞留水により阻止され、しかも、起立中空扉体を凹部内へ転倒させることにより、前記流水路上流側床面上に確保した所定水位水の放流、又は流水路の通常流水をスムーズに流下させる。
【００２７】（７）  請求項７の発明によれば、中空扉体が相応に補強される外、起立中空扉体内の落水が反転板により反転された後、当該反転板の欠落する端部から排水板上に落下し、然る後、排水口から排水される落水の落水音、排水音が相応量抑制され、当該中空扉体回りへの拡散が抑制される。また、起立中空扉体のフロントパネル上部の入水口下位と、リアパネル下部の排水口下部を連結するＳ状誘導板又は歪Ｓ状誘導板、若しくは頂部及び底部が略平行する先下り誘導板を備えるジグザグ状誘導板により連結される外、Ｓ状誘導板又はジグザグ状誘導板の中央部と略平行する頂面を備える三角柱状反転体を、その頂面と前記該Ｓ状誘導板又はジグザグ状誘導板の中央部間に確保した適宜間隔の落水路を流下させることにより、中空扉体の高さよりやや長い落水経路をスムーズに落水し、落水音の発生が抑制される。
【００２８】（８）  請求項８の発明によれば、仮に、流水路上流側床面側からの流入水中にごみ等が混在しても、適宜形状のスクリーンにより掬い挙げられる外、起立中空扉体の上部からその頂部中空室内に不用意に異物の進入する恐れがなく、しかも、該適宜形状のスクリーンが、転倒する中空扉体回りを流下する所定水位水又は通常流水の流下を妨げない。
【発明を実施するための最良の形態】
【００２９】  以下、この発明に係る落水音抑制転倒ゲートを実施するための形態を、その実施例１〜４及びそれらの変形例を略示する図１〜１１を参照して説明する。なお、第１〜４実施例及びそれらの変形例に共通する部分には、同一名称、同一符号を用いる。
【実施例１】
【００３０】  図１〜３は、この発明に係る落水音抑制転倒ゲートの実施例１を略示するもので、図１は実施例１の落水音抑制転倒ゲート１０の中空扉体１２を、流水路５の下流側床面８上に転倒させた状態の模式平面説明図、図２はその模式縦断側面説明図、図３はその起立する中空扉体１２の模式縦断説明図で、起立中空扉体１２により確保した所定水位水Ｈ〜Ｈ＋ΔＨ１である。ただし、ΔＨは起立中空扉体１２の隔壁２３頂部（欠落部２４の低部）の高さ、ΔＨ１は実際水流の隔壁２３頂部からの高さで、２６（２点鎖線）は当該起立中空扉体１２内における模式流動径路である。【００３１】  図１〜３において、中空扉体１２は適度に離間し、略平行する平らなフロントパネル１３とリアパネル１４の周縁部を、接合等により密閉状に固定して略中空の箱状に構成される。１５は中空扉体１２の基部を流水路５下流側床面８の適所に配設した基台９に、起伏可能に取付ける取付軸、１６は取付軸１５を介して中空扉体１２を起立又は転倒（倒伏）させる油圧シリンダー等の駆動装置、１７はフロントパネル１３下部の入水口、１７Ｄは入水口１７上位（図３）に設けた、流水路５の流水中に混在する塵等を排除するスクリーンで、図１ではその一部（下側２個）開口１７にスクリーン１７Ｄを設けたものを略示した。１８はリアパネル１４下部の排水口、１９は流水路６の上流側床面７と、起立中空扉体１２のフロントパネル１３下部を、中空扉体１２の起伏に係わらず、常時水漏れしないように連結する水密ゴム、１９１は中空扉体１２の左右両側部と流水路５の側壁６、６を、中空扉体１２の起伏に係わらず常時水漏れしないように当接させる水密ゴム、２０は中空扉体１２の頂部開口、２０Ｄは起立する中空扉体１２の頂部室で、頂部室２０Ｄは大気に開放される。【００３２】  フロントパネル１３下部の入水口１７から起立中空扉体１２内に流入する所定水位Ｈ＋ΔＨ１水の、起立中空扉体１２内へ流入する際に発生する吸込音（例えば、図示しないサイフォン管の入口部における吸込音と同種のもの）等は、起立中空扉体１２内から、その頂部室２０Ｄを介する外側、即ち、当該落水音抑制転倒ゲート１０回りへの拡散（漏れ）が抑制される。頂部開口カバー２１の基部がヒンジ２２により起立中空扉体１２のフロントパネル１３頂部に取付けられ、その自重により頂部開口２０を略閉塞する。【００３３】  ２３は起立中空扉体１２の概ね長さ（図３では上下）方向に延び、略平行するフロントパネル１３とリアパネル１４の略中央部に位置する隔壁、２３Ａは隔壁２３下部の凹弧状導出部、２４は隔壁２３上部（図３）の欠落部で、欠落部２４により扉体１２内の前後（図３では左右）側室が連通し、欠落部２４は起立中空扉体１２内流動水の越流部をなす。２５はフロントパネル１３下部の入水口１７下縁と、隔壁２３の前（図２では右）側面を連結し、流入水を導入する傾斜（図３では水平状）導入壁である。なお、この傾斜導入壁２５を凹弧状導入壁（図示省略）として構成すれば、流入水の誘導性が一層向上する。【００３４】  ２７はリアパネル１４下部の排水口１８外（図３では左）側に設けた排水音抑制カバーで、起立中空扉体１２のリアパネル１４下部の、排水口１８上位の左右（図１の上下）両側にヒンジ２８付けされ、該排水音抑制カバー２７と、起立中空扉体１２のリアパネル１４下部と、流水路５の左右両側壁６、６と、下流側床面８（同下流側床面８上の流水層を含む）により、三角筒状の落水音抑制室３３が構成される。２７Ａは排水音抑制カバー２７が排水口１８からの排水により小角度大きく開放された状態（図３ではその開度を誇張）を破線で略示した。２７Ｂは下流側床面８上に倒伏する中空扉体２７Ｂ下側への折畳み状態の排水音抑制カバーである。
【実施例１の作用】
【００３５】  実施例１の落水音抑制転倒ゲート１０は、流水路５の適所の上下流側床面７、８間、正確には両者の近接する下流側床面８上に設けた基台９に、中空扉体１２基部を取付軸１５で回動可能に取付け、油圧シリンダ等の適宜駆動装置１６により該取付軸１５を介して中空扉体１２を起立させ、上流側床面７上に最低流入水位Ｈ水と、許容される変動水位幅ΔＨ１の所定水位（Ｈ〜Ｈ＋ΔＨ１）水を確保し、所定水位（Ｈ〜Ｈ＋ΔＨ１）水をフロントパネル１３下部の入水口１７から起立中空扉体１２内に流入させ、隔壁２３前側に沿って一旦上昇させた後、隔壁２３頂部の欠落部２４を介して後側室へ流入させ、流水経路２６のように流下、落水させ、排水口１８から排水音抑制室３３内に排水する。起立中空扉体１２の排水口１８下縁は、流水路上流側５床面７より図４におけるｈｂ１低く、その排水面となる流水路下流面８はさらにｈｂ２低くなる（ｈｂ１＋ｈｂ２＝ｈｂ）から、前記所定水位（Ｈ〜Ｈ＋ΔＨ１）水が流水路５下流側床面８上に排水される場合における排水音に着目すれば、正確には（Ｈ＋ｈｂ１〜Ｈ＋ΔＨ１＋ｈｂ１：排水口１８下縁まで）又は（Ｈ＋ｈｂ〜Ｈ＋ΔＨ１＋ｈｂ：流水路下流側床面８まで）となる。
【００３６】  起立中空扉体１２上部の頂部室２０Ｄの頂部開口２０は、頂部開口カバー２１により実質的に常時閉塞されるが、この頂部開口２０は少なくともその一部が大気に開放され、隔壁２３頂部の欠落部２４の越流水は、前記所定水位（Ｈ〜Ｈ＋ΔＨ１）水と概ね同水位となり、その頂部が図３の２点鎖線２６のように流動する。起立中空扉体１２内落水の発生する落水音は、概ね頂部室２０Ｄ内に閉じ込められ、その拡散が抑制される。因みに、実施例１に係る出願人の試験によれば、当該起立中空扉体１２の頂部室２０Ｄの頂部は、頂部開口カバー２１の自重により常時略閉塞されることにより、前記入水口１７の上半部が開放される状態においても、係る頂部室２０Ｄを設けない（例えば、頂部開口２０が常時開放される）ものと比べて、落水音抑制転倒ゲート１０の起立中空扉体１２内に発生する落水音を、若干抑制できた。
【００３７】  また、起立中空扉体１２の頂部開口２０は、フロントパネル１３の頂部に設けた頂部開口カバー２１の自重で閉塞されるので、中空扉体１２を流水路５下流側床面８上に転倒させる際、中空扉体１２内の流動水により、頂部開口カバー２１が、基部のヒンジ２２回りに回動して図２の破線２１Ａのように開放し、転倒した中空扉体１２内を流動する所定水位水Ｈ〜Ｈ＋ΔＨ１、又は流水路５の通常流水をスムーズに流下させる。
【００３８】  実施例１の落水音抑制転倒ゲート１０は、起立中空扉体１２のリアパネル１４下部排水口１８外（図３では左）側の、排水音抑制カバー２７で囲む排水音抑制室３３の高い水密性確保を要件としないが、仮に、例えば、排水音抑制カバー２７の左右両側縁部を流水路５の左右両側壁６、６に充分近接させる等、その高水密性を確保すれば、起立中空扉体１２内を落水し、前記所定水位水Ｈ＋ｈｂ１〜Ｈ＋ΔＨ１＋ｈｂ１（ただし、ｈｂ１は排水口１８下縁の、流水路５上流側床面７からの距離で：図４の符号ｈｂ１賦与部参照）が排水口１８から排水される際、排水音抑制室３３内の流体圧ｈａが大気圧より上昇し（排水音抑制カバー２７の自重によるヒンジ２８回りの、図３の反時計方向トルクとバランスするように）、当該流体圧ｈａ（排水音抑制室３３内の流体圧ｈａは何処も略均一）が排水口１８を介して、起立中空扉体１２内の落水に賦与され、その結果、その有効落差（所定水位：Ｈ＋ΔＨ１＋ｈｂ１）が概ね同流体圧ｈａ相応量程度減少し、ひいては、起立中空扉体１２内落水の発生する落水音、さらには、当該転倒ゲート１０回りへの落水音の拡散が相応量抑制される。なお、略三角柱状の排水音抑制室３３内に封じ込められる排水は、排水音抑制カバー２７の端部と流水路５下流側床面８間から順次流出する。
【００３９】  流水路５上流側床面７上に確保した所定水位水（Ｈ〜Ｈ＋ΔＨ１）の取水を必要としない場合は、駆動装置１６により取付軸１５を介して起立中空扉体１２を、図３の起立状態から反時計方向に回して、図２の流水路５下流側床面８上へ転倒させて所定水位水を放流すると、排水音抑制カバー２７の下端が図３の状態から左側へ移動し、転倒中空扉体１２下位に２７Ｂ（図２）のように折り畳まれる。
【００４０】  起立中空扉体１２が下流側床面８上へ転倒すると、起立中空扉体１２内の残留水、流水路５上流側床面７上の所定水位水（Ｈ〜Ｈ＋ΔＨ１）、流水路５上流側床面７上の通常流水が、転倒中空扉体１２のフロントパネル１３の入水口１７から、その内側中空部に流入し、頂部開口カバー２１を図２実線の閉塞状態からヒンジ２２回りの時計方向へ、同図破線２１Ａのように回動して頂部開口２０を開放し、所定水位水（Ｈ〜Ｈ＋ΔＨ１）、通常流水をスムーズに流下させる。
【実施例２】
【００４１】  次に、この発明の実施例２の、落水音抑制転倒ゲートの１０Ａを、図４の起立中空扉体１２Ａの模式縦断説明図を参照して説明する。なお、前記実施例１と共通する部分には同一名称、同一符号を用いる。実施例２の落水音抑制転倒ゲート１０Ａは、前記実施例１の起立中空扉体１２の基部を、流水路５下流側床面８上で、下流側床面８と上流側床面７の境界より、中空扉体１２Ａの高さよりやや広く離間する位置に小堰８Ａを設け、その左右両側部を流水路５の左右側壁６、６部まで伸ばして凹部８Ｂを構成し、凹部８Ｂの上流側床面７との境界近傍に設けた基台９に、中空扉体１２Ａの基部を取付軸１５で、前記実施例１の中空扉体１２の基台９への取付軸１５を介する取付けと略同要領で取付ける。【００４２】  実施例２の落水音転倒ゲート１０Ａの中空扉体１２Ａは、その起立状態のリアパネル１４下部排水口１８が、凹部８Ｂ内の滞留水により常時被覆されるように、即ち、リアパネル１４下部の排水口１８の頂部が、凹部８Ｂ内の滞留水面３０Ａより下位に位置するように配設すれば、同凹部８Ｂ内の滞留水により排水口１８が常時閉塞され、起立中空扉体１２Ａの排水口１８からの排水が同滞留水中に排水されると、当該滞留水との間の流動摩擦抵抗を受け、排水音が相応量抑制される。また、凹部８Ｂは起立中空扉体１２Ａを同凹部８Ｂ内に転倒させる際、フロントパネル１３が、流水路５の上流側床面７より下位となるように配し、同凹部８Ｂ内滞留水面３０Ａより下位となるように転倒させる。その予の構造、作用は、前記実施例１と略同様である。【００４３】  ところで、実施例２は、流水路下流側床面８の凹部８Ｂ内滞留水の水圧を、リアパネル１４下部排水口１８を介して起立扉体１２Ａ内の落水に、その背圧として掛けること自体を目的とするものではないが、図４のように構成すれば、当然のことながら、起立扉体１２Ａのリアパネル１４下部排水口１８の下縁より高い水位ｈｂ１に相応する排水圧が、排水口１８を介して起立中空扉体１２Ａ内の落水にその背圧として賦与され、この水位ｈｂ１相応圧が当該起立中空扉体１２Ａ内落水の背圧として作用し、当該起立中空扉体１２Ａ内の落水水位が、係る凹部８Ｂ内に滞留流水がないものとの対比において相応量減少し、ひいては、当該起立中空扉体１２Ａ内の落水落水音が相応量減少する。ｈｂ２は排水口１８下縁と流水路下流側床面８（凹部８Ｂの底面）との間隔で、間隔ｈｂ２はこの装置の凹部８Ｂへの落水開始当初等、滞留水のない凹部８Ｂ内への排水高さで、この場合には、排水口１８からの排水の前記落差Ｈ＋ΔＨ１が、正確にはＨ＋ΔＨ１＋ｈｂ＝Ｈ＋ΔＨ１＋ｈｂ１＋ｈｂ２となり、したがって、当然ｈｂ２の高さ相応分、前記所定水位Ｈ＋ΔＨ１の落差に、この高さｈｂ２相応分付加されたＨ＋ΔＨ１＋ｈｂ１＋ｈｂ２に対応する落水、排水音が発生することになる。【００４４】  一方、凹部８Ｂ内に滞留水があれば、その滞留水により起立中空扉体１２Ａの排水口１８が覆われるから、起立中空扉体１２Ａの排水口１８からの排水は落下することなく略水平状に流下し、この場合には、排水口１８からの排水の前記落差Ｈ＋ΔＨ１、正確には前記Ｈ＋ΔＨ１＋ｈｂ＝Ｈ＋ΔＨ１＋ｈｂ１＋ｈｂ２中、一部のｈｂ＝ｈｂ１＋ｈｂ２に相応する滞留水水圧が、起立中空扉体１２Ａの排水口１８を介して起立中空扉体１２Ａ内の落水に負圧として作用し、即ち、実施例２の凹部８Ｂ内に滞留水があれば、当該滞留水の高さ水位ｈｂ相応水圧が、前記落差Ｈ＋ΔＨ１＋ｈｂから減少することになり、この点でも相応の落水音、排水音発生が抑制される。
【中空扉体の変形例１】
【００４５】  実施例１、２の落水音抑制転倒ゲート１０、１０Ａの中空扉体１２、１２Ａでは、その入水口１７、１７をフロントパネル１３の下部に設けたが、この入水口１７はフロントパネル１３の中央部に設けることができ（図示省略）、この場合には流水路５上流側床面７上の所定水位水Ｈ＋ΔＨ１から取水できる範囲Ｈの一部（最低水位）が、フロントパネル１３中央部の入水口１７の水流高さ相応分高くなることは別として、その予の構造、作用等は前記実施例１、２の落水音抑制転倒ゲート１０、１０Ａと略同様である。
【中空扉体の変形例２】
【００４６】  前記実施例１、２の起立する中空扉体１２、１２Ａの、フロントパネル１３の下部（中央部も同様）の入水口１７下縁部と隔壁２３下部を、図２の模式縦断説明図に破線で略示する凹弧状導入部２３Ｃとして構成することもでき、そのように構成すれば、入水口１７から起立中空扉体１２、１２Ａ内へ流入する所定水位水が、前記実施例１、２の起立中空扉体１２、１２Ａ内への流入よりスムーズに流入し、当該起立中空扉体１２、１２Ａ内における流入抵抗が前者より減少する。なお、この凹弧状導入部２３Ｃは、短小な第２傾斜状導入壁（図示省略）として構成することもでき、前記と略同様な作用をする。
【実施例３】
【００４７】  次に、この発明に係る落水音抑制転倒ゲートの実施例３を、図５〜７を参照して説明する。なお、前記実施例１と共通する部分には、同一名称、同一符号を用いる。また、特に必要な事項は別として、実施例１と共通する部分の構造、作用の説明は省略する。【００４８】  図５は実施例３の落水音抑制転倒ゲート４０の中空扉体４２を、流水路５下流側床面８上に倒伏させた状態の模式平面説明図、図６はその模式縦断説明図、図７は起立中空扉体４２の模式縦断説明図で、図７では起立中空扉体４２により確保した所定水位水Ｈ〜Ｈ＋ΔＨ１（正確には、「＋ｈｂ」であるが、以下の説明ではこの「＋ｈｂ」は省略する）を、フロントパネル４３上部の入水口４７から起立中空扉体４２内に流入させ、その中空部の流下水流５６を同時に破線で、模式的に略示した。【００４９】  実施例３の起立中空扉体４２は、上部（図７）に入水口４７を設けたフロントパネル４３と、下部に排水口４８を設けたリアパネル４４を、適宜間隔を存して略平行に配し、両パネル４３、４４を先（図７では左側）下がり傾斜状隔壁６４で連結すると共に、該両パネル４３、４４の周縁部を密閉して箱状中空扉体４２とし、その基部を取付軸１５により、流水路５下流側床面８適所の基台９に回動可能に取付け、油圧シリンダー等の適宜駆動装置１６により起伏可能に取付ける。【００５０】  ４７は起立中空扉体４２のフロントパネル４３頂部の入水口、４８はリアパネル４４下部の排水口、５０は起立中空扉体４２の頂部開口、５０Ｄはその頂部室、６１はそのフロントパネル４３の、頂部開口４７の下縁からその内側後（図７では左側上）方に伸び、左右（図５では上下）方向に適宜間隔を存して配設したフォーク状スクリーンで、フォーク状スクリーン６１上には、必要に応じてネット６１Ｄを設けること（図５では一部のフォーク状スクリーン６１Ｄ上に設けたものを略示）ができ、フォーク状スクリーン６１、ネット６１Ｄにより、流水路５の流水中に混在する塵等を掬い上げ、起立中空扉体４２内への流入を阻止する。６２はリアパネル４４中央部内側から、フロントパネル４３の下部内側に向う先下がり反転板、６３は反転板６２端部の欠落部、６４はフロントパネル４３下部とリアパネル４４下部の排水口４８下部を連結する先下がり状排水板である。【００５１】  実施例３は、起立中空扉体４２により、流水路５上流側床面７上に確保した所定水位水（Ｈ〜Ｈ＋ΔＨ１）を、フロントパネル４３上部の入水口４７から起立中空扉体４２内に流入させると、図７に鎖線５６で示すようにリアパネル４４内側面に沿って流下した後、先下がり反転板６２に沿って反転し、排水板６４に沿うように流下して、排水口４８から下流側床面８上に排水される。【００５２】  排水口４８の外（図７では左）側を被覆する排水音抑制カバー２７の頂部を、排水口４８頂部外側に回動可能にヒンジ２８付けする等、その予の構造、作用は、実施例１の排出口１８周りに設けた排水音抑制カバー２７と略同様で、排水口４８から排水される排水音が、排水音抑制カバー２７、起立中空扉体４２のリアパネル４４外側下部、流水路５の左右両側壁６、６、下流側床面８（下流側床面８上の流水を含む）等により囲われる略三角柱状の��水音抑制室３３内に、前記実施例１の排水音抑制カバー２７による排水音抑制室３３と同様に、当該落水音抑制転倒ゲート４０の起立中空扉体４２内落水の排水口４８を介する排水に伴って発生する排水音を閉じ込め、その拡散を抑制する。【００５３】  この頂部室５０Ｄの頂部は開口５０するが、起立中空扉体４２の頂部開口５０面積の略３０〜４０％程度が、フォーク状スクリーン６１により閉塞されることにより、頂部室５０Ｄから中空扉体４２回りへの落水音の拡散を相応に抑制する。なお、このフォーク状スクリーン６１の上部全面にネット６１Ｄを設ければ、頂部開口５０から拡散される落水音が一層効果的に抑制される。仕切り壁６０で中空扉体４０を幅狭に構成したことにより、頂部室５０Ｄ内に集まる落水音の隣接する頂部室５０Ｄへの拡散が抑制される。
【実施例４】
【００５４】  次に、この発明に係る落水音抑制転倒ゲート４０Ａの実施例４を、その起立中空扉体４２Ａの模式縦断側面図の図８を参照して説明する。なお、前記実施例３と共通する部分には同一名称、同一符号を用いる。また、特に必要な事項は別として、実施例３と共通する部分の構造、作用の説明は省略する。【００５５】  実施例４の落水音抑制転倒ゲート４０Ａの中空扉体４２Ａ基部は、図８のように流水路５下流側床面８に、左右両側部が流水路５側壁６、６に達する小堰８Ａを設けて構成した凹部８Ｂの上流側床面７近傍の基台９に、油圧シリンダ等の駆動装置１６（図５参照）で駆動される取付軸１５により、前記実施例３の中空扉体４２と略同様に取付ける。この中空扉体４２Ａは凹部８Ｂ内に倒伏し、中空扉体４２Ａのフロントパネル４３が、凹部８Ｂ内の滞留水面３０Ａより下位となるように転倒させる。なお、中空扉体４２Ａは、そのリアパネル４４下部の排水口４８外側に、該排水口４８を被覆する落水音抑制カバー２７を設けない点（実施例２と同様）は別として、実施例３の中空扉体１２と略同様である。【００５６】  実施例４の落水音抑制転倒ゲート４０Ａは、その起立中空扉体４２Ａのリアパネル４４下部排水口４８上端部が、流水路５下流側床面８の凹部８Ｂの滞留水面３０Ａより下位にある限り、起立中空扉体４２Ａ内の落水が当該滞留水内に流入し、当該滞留水との流体摩擦により排水音の発生が抑制される。なお、中空扉体４２Ａの凹部８Ｂ内への転倒状態に際して、フロントパネル４３が流水路５上流側床面７より下位となるように配設し、起立中空扉体４２Ａの倒伏により放流される所定水位水や、流水路５の通常水流をスムーズに流下させる。その予の構造及び作用は、前記実施例３と略同様である。
【中空扉体の変形例３〜５】
【００５７】  次に、この発明に係る落水音抑制転倒ゲートの中空扉体の変形例３〜５（７２、８２、９２）を、それらの要部模式縦断説明図の図９〜１１を参照して説明する。変形例３〜５の中空扉体７２、８２、９２を備える落水音抑制転倒ゲート７０、８０、９０の入水口４７が、何れもフロントパネル４３の頂部に設けられる点では、実施例３、４の中空扉体４２、４２Ａと共通するが、中空扉体７２、８２、９２の頂部室５０Ｄには、実施例３のフォーク状スクリーン６１はない。また、頂部室５０Ｄの頂部開口５０に頂部開口カバー５１を、リアパネル４４下部の排水口４８外側に排水音抑制カバー２７を設ける点は、前記実施例１の中空扉体１２頂部室２０Ｄの頂部開口２０に頂部開口カバー２１をヒンジ付けしたこと、及びそのリアパネル１４下部の排水口１８外側に排水音抑制カバー２７をヒンジ２８付した点では、実施例１、３の中空扉体１２、４２と略同様である。しかし、これらの中空扉体７２、８２、９２内の落水路７４、８４、９４は、以下に述べるように前記実施例１〜４の中空扉体１２、１２Ａ、４２、４２Ａの何れの落水路とも相違する。
【中空扉体の変形例３】
【００５８】  図９において、７２は変形例３の落水音抑制転倒ゲート７０の起立中空扉体、７３は中空扉体７２の中空部に設けた歪Ｓ状誘導板で、歪Ｓ状誘導板７３頂部の大凸弧状部の下端と、低部の小凹弧状部の上端を、夫々の接線状をなす平板により連結して構成し、歪Ｓ状誘導板７３頂部の大凸弧状部上端を、起立中空扉体７２のフロントパネル４３の頂部開口４７下部に、水平状ないし水平よりやや下降するように取付け、小凹弧状部の端部をリアパネル４４下部の排水口４８下部に、リアパネル４４内面に直角に近い鋭角状をなすように取付けたもので、入水口４７からの所定水位水Ｈ〜Ｈ＋ΔＨ１が起立中空扉体７２内に流入すると、歪Ｓ状誘導板７３に概ね沿い、歪Ｓ状誘導板７３とリアパネル４４内側面との間の先細状落水路７４、即ち、流水経路７６に沿うように落水し、排水口４８から下流側床面８上に、排水音抑制カバー２７により確保される排水音抑制室３３内に排水される。その予の構造、作用は前記実施例３と略同様である。
【中空扉体の変形例２】
【００５９】  図１０において、８２は変形例４の落水音抑制転倒ゲート８０の起立中空扉体、８３は起立中空扉体８２内のＳ状誘導板で、Ｓ状誘導板８３はフロントパネル４３上部の入水口４７下位と、リアパネル４４下部の排水口４８下部を夫々連結する点では前記変形例３の中空扉体７２と略同様であるが、Ｓ状誘導板８３の凸弧状部と凹弧状部は略同径（やや大径）弧状部として構成され、両弧状部を連結する中央部は、中空扉体８２のフロントパネル４３とリアパネル４４の中央部において両者と略平行し、又は当該連結部の下部がその上部よりフロントパネル４３の下部内側に近接するように、即ち、やや大きく反転（後退）するように構成される。Ｓ状誘導板８３の連結部の中央部から下（図１０では左）側で、排水口４８上位（図１０）のリアパネル４４内側に、Ｓ状誘導板８３の連結部（中央部）と略平行し、両者間に落水路８４を構成する適度な間隔の存する頂面８５１を備える三角柱状反転体８５が設けられ、入水口４７からの所定水位水Ｈ〜Ｈ＋ΔＨ１が起立中空扉体８２内に流入すると、Ｓ状誘導板８３に沿い、落水路８４、流水経路８６に沿うように落水し、排水口４８から下流側床面８上に構成される排水音抑制室３３内に排水される。その予の構造、作用は前記実施例３と略同様である。
【中空扉体の変形例５】
【００６０】  図１１において、９３は変形例５の起立中空扉体９２内に設けた、当該中空扉体９２内の落水を誘導するジグザグ状誘導板で、ジグザグ状誘導板９３はフロントパネル４３上部の入水口４７下位と、リアパネル４４下部の排水口４８下部を連結し、頂部及び底部が略平行する先下り誘導部９３１、９３２を備え、直線状中央部が前記頂部の先下り誘導部９３１の下部に、底部が先下り誘導部９３２の上部に夫々連結され、当該連結部の下部がフロントパネル４３に十分近接するように大きく後退し、全体としてジグザグ状をなす（ただし、頂部先下り誘導部９３１の下部と直線状中央部の上部との連結部は適度に面取りされ、落水をスムーズに流下、落水させる）ように構成され、ジグザグ状誘導板９３の直線状中央部と三角柱状反転体９５の頂面９５１間に構成される適宜間隔の落水路９４により反転された後、底部誘導面９５２から前記リアパネル４４下部の排水口４８を介して、下流側床面８上に構成された排水音抑制室３３内に排水される。その予の構造、作用は前記実施例３と略同様である。
【中空扉体変形例３〜５の流水路下流側床面凹部への配設】
【００６１】  これらの変形例３〜５の中空扉体７２、８２、９２は、図示しないが、それぞれの基部を、流水路５下流側床面８の凹部８Ｂに設けた基台９（図４、８参照）に取付けることができ、この場合には起立中空扉体７２、８２、９２のリアパネル４４下部の、排水音抑制カバー２７を外し、各起立中空扉体７２、８２、９２の基部を、流水路５下流側床面８の凹部８Ｂ内に設けた基台９（図４、８参照）に、適宜駆動手段１６で駆動される取付軸１５により起伏可能に取付けることにより、前記実施例２、４の中空扉体１２Ａ、４２Ａと略同様な作用をする。
【中空扉体頂部カバーの落水音抑制作用】
【００６２】  起立中空扉体４２のフロントパネル４３上部入水口４７から起立中空扉体４２内に所定水位水Ｈ〜Ｈ＋ΔＨ１が流入すると、側面視凸弧状水流５６として流下し、リアパネル４４内側面に衝突し、同内側面に沿うように起立中空扉体４２内を流下し、排水口４８から排出され、この間に同部で発生するかなりの落水音が頂部室５０Ｄ内に集まる。頂部室５０Ｄの頂部開口５０は頂部開口カバー５１により常時略閉塞されるが、頂部落水音抑制室５０Ｄの前（図６では右）側の、フロントパネル４３上部入水口４７は、当該入水口４７から流入する所定水位水Ｈ〜Ｈ＋ΔＨ１により、少なくともその下側の一部が閉塞され、その上半部が通常開放される。
【００６３】  起立中空扉体４２内の前記凸弧状流水５６の落水により発生する落水音には、例えば、頂部開口カバー５１の下面に向い、同下面に当接、反射されるものを始め、リアパネル４４のない側面（フロントパネル４３とリアパネル４４の接合部）又は隔壁６０に向って当接、反射されるもの、流水路５の下流側床面８に向い、同面に当接して、反射されるもの等がある外、弧状流水５６の進行に伴う新たな落水音で、前者より遅位相の落水音が順次発生し、それ等の一部は相殺され、かなりの残部が頂部室５０Ｄ内に閉塞される。そして、起立中空扉体４２のフロントパネル頂部入水口４７からの流入水が少ない（落水音が比較的小さい）場合には、フロントパネル４３上部の入水口４７の大半が開口するが、大落水音の発生する多量流入時には入水口４７の大半が閉塞される。このため、大量入水により起立中空扉体内に発生する落水音の、当該入水口４７の開口部を介する中空扉体回りへの拡散が相応量抑制される。
【図面の簡単な説明】
【００６４】
【図１】  この発明に係る落水音抑制転倒ゲートの第１実施例の中空扉体を、流水路の下流側床面に倒伏させた状態の模式平面説明図である。
【図２】  その倒伏中空扉体の模式縦断説明図である。
【図３】  その起立中空扉体の模式縦断説明図である。
【図４】  この発明に係る落水音抑制転倒ゲートの第２実施例の中空扉体基部を、流水路下流側床面の凹部内の基台に起伏可能に設けて、起立させたものの模式縦断説明図である。
【図５】  この発明に係る落水音抑制転倒ゲートの第３実施例の中空扉体を、流水路下流側床面に倒伏させた状態の模式平面説明図である。
【図６】  第３実施例の転倒中空扉体の模式縦断説明図である。
【図７】  第３実施例の起立中空扉体の模式縦断説明図である。
【図８】  この発明に係る落水音抑制転倒ゲートの第４実施例の中空扉体基部を、流水路下流側床面凹部内の基台に起伏可能に設けたものの、起立状態における模式縦断説明図である。
【図９】  この発明に係る落水音抑制転倒ゲートの、中空扉体の変形例３の、起立状態の模式縦断説明図である。
【図１０】  この発明に係る落水音抑制転倒ゲートの、中空扉体の変形例４の、起立状態の模式縦断説明図である。
【図１１】  この発明に係る落水音抑制転倒ゲートの、中空扉体の変形例５の、起立状態の模式縦断説明図である。
【符号の説明】
【００６５】５……流水路
６……流水路側壁
７……上流側床面
８……下流側床面
８Ａ……小堰（下流側床面）
８Ｂ……凹部（下流側床面）
９……基台
１０……落水音抑制転倒ゲート（実施例１）
１０Ａ……落水音抑制転倒ゲート（実施例２）
１２……中空扉体
１２Ａ……中空扉体（実施例２）
１３……フロントパネル
１４……リアパネル
１５……取付軸
１６……駆動装置
１７……入水口（フロントパネル１３下部）
１７Ｄ……スクリーン（ネット状）
１８……排水口
１９……水密ゴ厶
１９１……水密ゴム
２０……頂部開口
２０Ｄ……頂部室
２１……頂部開口２０カバー
２１Ａ……頂部開口カバー２１（開放）
２２……ヒンジ
２３……隔壁（扉体１２）
２３Ａ……凹弧状排出部（隔壁２３）
２４……欠落部
２５……傾斜導入壁
２６……落水経路（中空扉体１２内）
２７……排水音抑制カバー
２７Ａ……排水音抑制カバー
２７Ｂ……排水音抑制カバー（折畳み状態）
２８……ヒンジ
２９……所定水位（Ｈ＋ΔＨ１）
３０、３０Ａ……下流側水面
３１……仕切（連結）壁
３３……排水音抑制室
３６……水流、水圧方向（流水路５上流側）
４０……落水音抑制転倒ゲート（実施例３）
４０Ａ……落水音抑制転倒ゲート（実施例４）
４２……中空扉体（第２実施例）
４３……フロントパネル（中空扉体４２）
４４……リアパネル（中空扉体４２）
４６……通水経路（中空扉体４２内）
４７……入水口
４７Ｄ……スクリーン
４８……排水口
５０……頂部開口
５０Ｄ……頂部室
５１……頂部開口カバー
５１Ａ……頂部開口カバー（開放）
５２……ヒンジ（頂部開口カバー５１）
５３……傾斜隔壁
５３Ａ……凹弧状導出部
５６……落水経路（中空扉体４２内）
６０……仕切壁
６１……フォーク状スクリーン
６１Ｄ……スクリーン
６２……反転板
６３……切欠部（反転板端部）
６４……排水板
７０、８０、９０……落水音抑制転倒ゲート（変形例３〜５）
７２、８２、９２……中空扉体（変形例３〜５）
７３……歪形Ｓ状誘導板
７７、８４、９４……落水路
７６、８６、９６……落水経路
８３……Ｓ状誘導板
８５、９５……三角柱状反転体
８５１……誘導面（三角柱状反転体）
９３……ジグザグ状誘導板
９３１……頂部誘導面
９３２……低部誘導面
９５１……誘導面（三角柱状反転体）
Ｈ……最低流入水位（起立中空扉体）
ΔＨ……入水口４７の高さ
ｈａ……排水音抑制カバーによる背圧相応水位
ｈｂ……凹部内滞留水の水位（ｈｂ１＋ｈｂ２）
ｈｂ１……凹部内滞留水による背圧相応水位
ｈｂ２……排水口からの排水落下水位
【図１】
2005188266.tif 000003
【図２】
2005188266.tif 000004
【図３】
2005188266.tif 000005
【図４】
2005188266.tif 000006
【図５】
2005188266.tif 000007
【図６】
2005188266.tif 000008
【図７】
2005188266.tif 000009
【図８】
2005188266.tif 000010
【図９】
2005188266.tif 000011
【図１０】
2005188266.tif 000012
【図１１】
2005188266.tif 000013